(57)【特許請求の範囲】
【請求項１】
ヘッドマウント型や眼鏡型の光学視覚装置であって、
映像信号に基づく映像を映す映像表示部と、
パスワードを入力するパスワード入力手段と、
このパスワード入力手段により入力されたパスワードを記憶する記憶手段と、
前記パスワード入力手段により入力されたパスワードを、前記記憶手段に記憶されたパスワードと照合し、双方のパスワードが一致した場合にのみ前記映像表示部への映像表示を許容する制御部とを備え、
前記記憶手段は、各パスワード毎に個人用の画質、明るさを設定するための複数のパスワードを記憶可能に構成され、
前記制御部は、前記映像表示部への映像表示開始時から一定時間経過すると、目の健康等に関する警告を発し、継続の意思表示があった場合にのみ前記映像表示部への映像表示を続行するよう制御することを特徴とする光学視覚装置。
【請求項２】
前記請求項１に記載のヘッドマウント型や眼鏡型の光学視覚装置において、継続の意思表示を入力する入力手段を備え、パスワードが入力されると、このパスワードが登録されたパスワードと一致する場合にのみ映像表示部への映像表示を許容することを特徴とする光学視覚装置の制御方法。
【発明の詳細な説明】
【０００１】
【発明の属する技術分野】
本発明は、目の健康等に関して支障があると予測される光学視覚装置及びその装置の制御方法に関する。
【０００２】
【従来の技術】
例えば、鑑賞する者が頭に装着し、又は、眼鏡の如く装着し、顔面の前方近くに映像を映出する光学視覚装置が提案されている。このようなヘッドマウント型や眼鏡型の光学視覚装置は、目のすぐ近くに映像を映出するため、成人に満たない者（０〜１８才ぐらいまで）が使用した場合や前者を含め成人でも長時間使用したら人体にどの様な影響を与えるかなどが現在医学的検討も含め検討中である。
【０００３】
【発明が解決しようとする課題】
しかしながら、従来においては、上記のような懸案があるにもかかわらず子供、未成年者等の使用に対して何らの使用制限もなかった。
【０００４】
そこで、本発明は子供、未成年者等の使用に対して規制を持たせた光学視覚装置及びその装置の制御方法を提供することを特徴とする。
【０００５】
【課題を解決するための手段】
上記課題を達成するための本発明の光学視覚装置は、ヘッドマウント型や眼鏡型の光学視覚装置であって、映像信号に基づく映像を映す映像表示部と、パスワードを入力するパスワード入力手段と、このパスワード入力手段により入力されたパスワードを記憶する記憶手段と、前記パスワード入力手段により入力されたパスワードを、前記記憶手段に記憶されたパスワードと照合し、双方のパスワードが一致した場合にのみ前記映像表示部への映像表示を許容する制御部とを備え、前記記憶手段は、各パスワード毎に個人用の画質、明るさを設定するための複数のパスワードを記憶可能に構成され、前記制御部は、前記映像表示部への映像表示開始時から一定時間経過すると、目の健康等に関する警告を発し、継続の意思表示があった場合にのみ前記映像表示部への映像表示を続行するよう制御することを特徴としている。
【０００６】
また、光学視覚装置の制御方法は、前記ヘッドマウント型や眼鏡型の光学視覚装置において、継続の意思表示を入力する入力手段を備え、パスワードが入力されると、このパスワードが登録されたパスワードと一致する場合にのみ映像表示部への映像表示を許容することを特徴としている。
【０００７】
即ち、登録されたパスワードと同じパスワードを入力する操作をしなければ、映像が映らない。
【０００８】
【発明の実施の形態】
以下、本発明の実施の形態を図面を用いて説明する。図１から図５には本発明をヘッドマウント型の光学視覚装置に適用した場合が示されている。図２にはヘッドマウント型の光学視覚装置の斜視図が示されている。図２において、光学視覚装置は光学視覚本体１と、この光学視覚本体１にコード２を介して接続された第１リモートコントローラ３と、さらにこの第１リモートコントローラ３にコード４を介して接続された第２リモートコントローラ５とを備える。
【０００９】
光学視覚本体１はヘッドマウント部６とこのヘッドマウント部６に連結部７を介して接続された光学視覚部８とから成る。ヘッドマウント部６は人間の頭に挿着自在に構成され、ヘッドマウント部６を頭に装着した状態において光学視覚部８が顔面の前方に配置される。光学視覚部８の構成については下記する。
【００１０】
第１リモートコントローラ３には液晶表示部２２の明度調整つまみ９、液晶シャッタ２８の濃度調整つまみ１０及び音量調整つまみ１１が設けられている。音量調整つまみ１１によって図示しないスピーカの音量調整がなされる。
【００１１】
第２リモートコントローラ５には電源スイッチ１２及びリセットボタン１３と共に１〜５までの数字ボタン１４が設けられている。これら数字ボタン１４は下記するパスワードを入力するためのもので、これら数字ボタン１４がパスワード入力手段１５を構成している。
【００１２】
図３には光学視覚部８の縦断面図が示されている。図３において、メインフレーム２０の左右対称位置には液晶配置用孔２１がそれぞれ形成され、この各液晶配置用孔２１に映像表示部である液晶表示部２２がそれぞれ配置されている。この各液晶表示部２２の上方にはバックライトとなる蛍光灯２３とこの蛍光灯２３の光を反射するリフレクタ２４とがそれぞれ設けられている。又、各液晶表示部２２の下方にはハーフミラー２５とこのハーフミラー２５に反射された光が照射される凹面ハーフミラー２６とがそれぞれ設けられている。このハーフミラー２５と凹面ハーフミラー２６とは各鏡筒カバー２７内に固定され、この各鏡筒カバー２７の前面には液晶シャッタ２８が、各鏡筒カバー２７の後面には覗き窓２９がそれぞれ設けられている。メインフレーム２０の上面側及び双方の鏡筒カバー２７の前面側が保護カバー３０（図２に示す）によって被われ、この保護カバー３０の前面側は透光部材にて構成されている。
【００１３】
即ち、液晶表示部２２の映像がハーフミラー２５で前方方向に反射し、この反射光が凹面ハーフミラー２６で拡大され、この拡大された像を覗き窓２９より見ることができる。そして、液晶シャッタ２８の濃度調整つまみ１０により液晶シャッタ２８を明るくすると液晶表示部２２の映像の他に外部の景色が見え、液晶シャッタ２８を暗くすると液晶表示部２２の映像のみが見える。
【００１４】
図４には光学視覚装置の要部回路ブロック図が示されている。図４において、第１リモートコントローラ３及び第２リモートコントローラ５の各入力コマンド等は制御部３０に供給され、制御部３０はキャラクタジェネレータ３１、液晶表示駆動部３２、液晶表示部２２、蛍光灯２３、電源回路３３等を制御する。又、制御部３０は記憶手段である内蔵メモリを有し、この内蔵メモリにはパスワード等が記憶される。そして、制御部３０は図１や図５に示すプログラムを実行し、図１及び図５の詳しい説明は作用の箇所で行う。キャラクタジェネレータ３１は制御部３０のコマンドに基づき文字等の映像信号を出力し、この映像信号は本来の映像信号に加算器３４で重畳される。本来の映像信号は外部のソース源（図示せず）より映像入力スイッチＳＷを経て供給され、この映像入力スイッチＳＷは制御部３０により制御される。
【００１５】
次に、上記構成の作用を説明する。図１に示すように、ユーザが電源スイッチ１２をオンにする（ステップＳ1）と、電源回路３３が各回路に電源を供給すると共に制御部３０がキャラクタジェネレータ３１を制御し、液晶表示部２２に目の健康等に関する警告が表示される（ステップＳ2）、この表示はユーザが次の操作を行うまで表示される。次に、制御部３０は内蔵メモリを読み出し、パスワードが登録されているか否かを判別する（ステップＳ3）。
【００１６】
パスワードが登録されていない場合には、「非使用登録」されているときを除き、「パスワードを登録するか？ＹＥＳの場合は１を、ＮＯの場合は２を押す」という表示を例えば画面表示する（ステップＳ5）。パスワード登録する場合には第２リモートコントローラ５の「１」の数字ボタン１４を押す。すると、制御部３０がキャラクタジェネレータ３１を制御し、液晶表示部２２に「パスワードを入力して下さい」という前面表示がなされ（ステップＳ7）、ユーザが第２リモートコントローラ５の数字ボタン１４を操作してパスワードを入力する（ステップＳ8）。入力したパスワードの数字は順次画面表示される。パスワードが入力されると、「確認のため、もう一度パスワードを入力して下さい」という表示が画面表示される（ステップＳ9）。ユーザが再度パスワードを入力して（ステップＳ10）、そのパスワードが正しければ映像入力スイッチＳＷをオンにし映像表示が開始される（ステップＳ12）。パスワードの変更はリセットボタン１３を押すことによって可能である。又、パスワードを登録しない場合には第２リモートコントローラ５の「２」の数字ボタン１４を押す。すると、制御部３０はキャラクタジェネレータ３１を制御し、液晶表示部２２にパスワードを登録しないことによる危険性についての警告が表示される（ステップＳ13）。そして、制御部３０は「非使用登録」を設定し（ステップＳ14）、映像入力スイッチＳＷをオンにし映像表示が開始される（ステップＳ12）。
【００１７】
即ち、パスワードが登録されている場合には、制御部３０はキャラクタジェネレータ３１を制御し、液晶表示部２２に「パスワードを入力して下さい」という表示が表示される（ステップＳ15）。ユーザが第２リモートコントローラ５の数字ボタン１４を操作してパスワードを入力する（ステップＳ16）と、この入力パスワードが登録されたパスワードと同じか否かを判別する（ステップＳ17）。パスワードが同じであれば映像入力スイッチＳＷをオンにし、映像表示が開始される。
【００１８】
また、「パスワードが未登録で」、且つ、「非使用登録」が設定されている場合は、パスワードの入力操作を経ずに映像表示が開始される。
【００１９】
即ち、保護者等がパスワードを設定登録し、その入力をしないことには使用できないようにすれば、子供、未成年者が使用する確率を押えることができる。
【００２０】
図５に示すように、映像表示を開始してから約２時間経過すると、制御部３０はキャラクタジェネレータ３１を制御して液晶表示部２２に連続視聴による視覚障害についての警告文を表示する（ステップＳ20）。次に、「間もなく電源が切れます。続けて視聴しますか？」という表示を行い（ステップＳ21）、継続の意思表示として「パスワード入力」、「継続キー操作」等が行われると映像表示が続行される。継続の意思表示がなされない場合には強制的に電源回路３３をオフする。そして、映像表示が継続され、。約２時間経過すると、上記と同様の警告等が表示され（ステップＳ22，Ｓ23）、継続の意思表示がなされると映像表示が続行される。そして、また約２時間経過すると、今度は「６時間を超える連続視聴は視覚に悪影響を及ぼす場合があります。間もなく電源が切れます。健康のため目を休めて下さい。」という表示を行い（ステップＳ24）、その後、強制的に電源回路３３をオフする（ステップＳ25）。
【００２１】
即ち、数時間置きに視聴の警告を行い、ユーザに視聴を継続するか否かを決定させることにより長時間の視聴過多を未然に防止できる。
【００２２】
尚、上記実施形態において、パスワードを複数登録できるようにすると、多人数に対応できるものとすることができる。又、登録したパスワードを自由に変更できるようにすれば、パスワードを子供などに知られてもそれを変更することにより制限を強化することができる。さらに、強制的に電源オフした後、再度電源投入したときに同じパスワードでは連続使用できないようにすることにより、長時間の視聴過多をより有効に防止できる。さらにまた、パスワードを複数登録できるようにした場合に、各パスワード毎に個人用の各種設定（画質、明るさなど）を保存するようにすれば各個人に最適な映像を表示できる。
【００２３】
尚、上記実施形態では、パスワードは数字の配列であるが、記号や文字の配列であってもよく、又、記号や文字と数字の配列であっても良い。
【００２４】
【発明の効果】
以上述べたように本発明によれば、登録されたパスワードと同じパスワードを入力しなければ映像表示が開始されないよう構成したので、子供、未成年者等の使用を制限できるという効果がある。
【００２５】
また、映像表示開始から一定時間経過すると、目の健康等に関する警告を発し、継続の意思表示があった場合にのみ映像表示を続行するよう構成したので、長時間の視聴過多を未然に防止できるという効果がある。
【図面の簡単な説明】
【図１】映像表示が開始されるまでのフローチャート（実施形態）。
【図２】光学視覚装置の全体斜視図（実施形態）。
【図３】光学視覚部の断面図（実施形態）。
【図４】光学視覚装置の要部回路ブロック図（実施形態）。
【図５】映像表示開始後のフローチャート（実施形態）。
【符号の説明】
１５…パスワード入力手段
２５…液晶表示部（映像表示部）
３０…制御部
【図１】
0003680373.tif 000002
【図２】
0003680373.tif 000003
【図３】
0003680373.tif 000004
【図４】
0003680373.tif 000005
【図５】
0003680373.tif 000006